(57)【要約】【課題】災害発生時に、混乱を生じさせることなく迅速な避難者の把握が可能な避難者名簿の提供を行うことが可能な避難者名簿作成システムを提供する。【解決手段】所属人員の部屋１０２への入室時刻及び退室時刻を記録する入退管理サーバ１０７と、災害情報の受信及び送信を行う災害情報管理サーバ１０１と、入退管理サーバ１０７及び災害情報管理サーバ１０１とネットワークで接続され、部屋１０２内に設置され、避難者名簿を作成し印刷する画像形成装置１０３と、を有する避難者名簿作成システムであって、画像形成装置１０３は、入退管理サーバ１０７を参照して、在室、外出、欠席を判断し、所属人員の状態毎に避難者名簿を作成し印刷する。【選択図】図１
2015135561.tif 000002
【特許請求の範囲】
【請求項１】
所属人員の部屋への入室時刻及び退室時刻を記録する入退室管理手段と、
災害情報の受信及び送信を行う災害情報管理手段と、
前記入退室管理手段及び前記災害情報管理手段とネットワークで接続され、前記部屋内にて設置され、避難者名簿を作成し印刷する画像形成手段と、
を有する避難者名簿作成システムであって、
前記画像形成手段は、
前記入退室管理手段を参照して、当日の最後の入室時刻が最後の退室時刻より後である人員及び当日の入室時刻が記録されていて退室時刻が記録されていない人員は在室と判断し、当日の最後の入室時刻が最後の退室時刻より前である人員は外出と判断し、当日の入室時刻が記録されていない人員は欠席と判断し、所属人員を在室、外出及び欠席の３つの状態に分けて避難者名簿を作成し印刷することを特徴とする避難者名簿作成システム。
【請求項２】
前記画像形成手段は、状態が外出である所属人員について、緊急連絡先を載せて避難者名簿を作成し印刷することを特徴とする請求項１記載の避難者名簿作成システム。
【請求項３】
前記画像形成手段は、状態が在室である所属人員の数と等しい枚数の避難者名簿を印刷することを特徴とする請求項１または２記載の避難者名簿作成システム。
【請求項４】
前記画像形成手段は、予め設定された避難隊長者の状態が欠席の場合は、予め設定された避難隊長者のみが知る避難情報を印刷することを特徴とする請求項１から３のいずれか１項記載の避難者名簿作成システム。
【請求項５】
災害情報を受信する災害情報受信ステップと、
所属人員の当日の入室時刻及び退室時刻を入退室情報として取得する入退室情報取得ステップと、
前記入退室情報から、当日の最後の入室時刻が最後の退室時刻より後である人員及び当日の入室時刻が記録されていて退室時刻が記録されていない人員を在室と判断する在室人員判断ステップと、
当日の最後の入室時刻が最後の退室時刻より前である人員を外出と判断する外出人員判断ステップと、
当日の入室時刻が記録されていない人員を欠席と判断する欠席人員判断ステップと、
所属人員を在室、外出、欠席の３つの状態に分けて避難者名簿を作成する避難者名簿作成ステップと、
を有することを特徴とする避難者名簿作成方法。
【請求項６】
画像形成装置に、
請求項５記載の避難者名簿作成方法を用いて避難者名簿作成処理を実行させることを特徴とする避難者名簿作成プログラム。
【発明の詳細な説明】
【技術分野】
【０００１】
本発明は災害発生時の避難者名簿作成システム、避難者名簿作成方法及び避難者名簿作成プログラムに関し、特に、人員の在室状況を反映した名簿を作成可能な避難者名簿作成システム、避難者名簿作成方法及び避難者名簿作成プログラムに関する。
【背景技術】
【０００２】
学校や企業などでは、地震などの災害発生時に効率的に避難を行うために、室ごとに分けて避難を行うことが多い。避難後にその室内の人が全員避難しているかを確認するために、避難者名簿が利用される。
【０００３】
災害が発生してから避難者名簿を用意していては避難が間に合わないため、事前に名簿を印刷しておき、避難時に必要な資料として準備しておく手法が既に知られている。
【０００４】
しかし、今までの方法では、人員の増減や入れ替えが発生した時に避難者名簿を更新して準備する必要があり、入れ替わりが激しい場合は頻繁に避難者名簿を作成しなければならない。もし避難者名簿が更新されておらず、古いリストのままになってしまっていると、避難時に混乱を招いてしまう。
【０００５】
そこで、災害発生時に速やかに、人員の増減や入れ換えを反映した最新の避難者名簿が入手可能となる技術が求められている。特許文献１及び特許文献２には下記のような関連する技術が記載されている。
【０００６】
特許文献１には、緊急事象の到達予測通知を受けた場合に、迅速に緊急印刷を行う画像形成装置が開示されている。特許文献１記載の画像形成装置は、まず、緊急地震速報を取得したとき、所定の避難情報を印刷する緊急印刷が地震の到達時刻の予測値である主要動到達予測時刻までに可能か否かを判断する。そして、動作エラーや故障などを起こさずに印刷可能である場合に緊急印刷を行うことで、地震が実際に到来する前に緊急印刷を完了することができる。その結果、ユーザは地震が実際に到来する前に避難情報の印刷物を取得することができ、より迅速な対応が可能となる。
【０００７】
特許文献２には、会議の参加者の会議室への入退室情報に基づいて、その参加者に対して提供すべき資料を印刷することができる印刷制御装置が開示されている。
【発明の概要】
【発明が解決しようとする課題】
【０００８】
災害発生時に避難者名簿を印刷する際に、避難者名簿が最新の状態になっていたとしても、災害発生時に欠席、外出している人員がいる場合、避難者名簿には名前があるが、避難した際にその場にはいないことになり、混乱を招くという問題がある。
【０００９】
特許文献１には、入退室管理システムの情報を避難情報として使用することについて言及はされているが、具体的な方法は記載されていない。また、欠席者や外出者の名前が避難者名簿へ掲載されないことにより発生する混乱ついては何ら考慮されていない。
【００１０】
特許文献２記載の技術は、会議用資料の配付を目的としたものであり、災害時の使用は想定されていない。また、在室者を把握する方法については記載されているが、欠席者や外出者については何ら考慮されていないため、災害時に使用したとしても、混乱を防止するには不十分である。
【００１１】
本発明の目的は、災害発生時に、混乱を生じさせることなく迅速な避難者の把握が可能な避難者名簿の提供を行うことが可能な避難者名簿作成システムを提供することにある。
【課題を解決するための手段】
【００１２】
本発明の避難者名簿作成システムは、所属人員の部屋への入室時刻及び退室時刻を記録する入退室管理手段と、災害情報の受信及び送信を行う災害情報管理手段と、前記入退室管理手段及び前記災害情報管理手段とネットワークで接続され、前記部屋内にて設置され、避難者名簿を作成し印刷する画像形成手段と、を有する避難者名簿作成システムであって、前記画像形成手段は、前記入退室管理手段を参照して、当日の最後の入室時刻が最後の退室時刻より後である人員及び当日の入室時刻が記録されていて退室時刻が記録されていない人員は在室と判断し、当日の最後の入室時刻が最後の退室時刻より前である人員は外出と判断し、当日の入室時刻が記録されていない人員は欠席と判断し、所属人員を在室、外出及び欠席の３つの状態に分けて避難者名簿を作成し印刷することを特徴とする。
【発明の効果】
【００１３】
本発明によれば、災害発生時に、混乱を生じさせることなく迅速な避難者の把握が可能な避難者名簿の提供を行うことが可能な避難者名簿作成システムを提供できる。
【図面の簡単な説明】
【００１４】
【図１】本発明の避難者名簿作成システムの実施形態１の構成を示す図である。
【図２】本発明の避難者名簿作成システムの実施形態１により印刷される避難者名簿の例を示す図である。
【図３】本発明の避難者名簿作成システムの実施形態１の動作を示す図である。
【発明を実施するための形態】
【００１５】
＜実施形態１の構成＞
図１を参照しながら、実施形態１の構成について説明する。図１に示すように、避難者名簿作成システム１００は、災害情報管理手段として、災害情報管理サーバ１０１を有する。災害情報管理サーバ１０１は災害発生情報や災害発生予測情報といった災害情報を受信し、また送信する機能を有している。災害情報には、例えば緊急地震速報等がある。
【００１６】
災害情報管理サーバ１０１が災害情報を自動的に受け取るようにしても良いし、災害情報を知った者が手動で情報を入力するようにしても良い。また、災害情報管理サーバ１０１の設置場所は、部屋１０２を有する建物内でも、インターネット等で接続された別の場所であっても良い。
【００１７】
人員が出入りする部屋１０２には、画像形成手段として画像形成装置１０３が設置されている。画像形成装置１０３は災害情報管理サーバ１０１と無線または有線によりネットワークで接続されている。
【００１８】
災害情報管理サーバ１０１が災害情報を受信すると、ネットワークを介して画像形成装置１０３に災害情報を送信し通知する。そして、画像形成装置１０３は避難者名簿を作成し印刷する。避難者名簿の作成及び印刷についての詳細は後述する。
【００１９】
ここで、入退管理サーバ１０７等について説明する。図１に示すように、所属人員１０５は、ＩＣカード１０６を所持している。部屋１０２の出入口には、ＩＣカード読取装置１０４が備えられており、ＩＣカード読取装置１０４はネットワークによって入退管理サーバ１０７と接続されている。所属人員は全員が固有のＩＣカードを有している。所属人員１０５は部屋１０２への入室及び退室の際に、ＩＣカード１０６をＩＣカード読取装置１０４に読み取らせる。
【００２０】
ＩＣカード１０６を読み取らせる方法は、ＩＣカード読取装置１０４にＩＣカード１０６をかざすようにしても良いし、ＩＣカード読取装置１０４に設けられた隙間にＩＣカード１０６をスライドさせるようにしても良い。また、入室と退室を区別するため、入室の場合はＩＣカード１０６の表側を読み取らせ、退室の場合はＩＣカードの裏側を読み取らせるようにしても良い。
【００２１】
その他にも、ＩＣカード読取装置１０４に入室ボタン及び退室ボタンを設け、ＩＣカード１０６を読み取らせる前に、所属人員１０５が入室ボタン及び退室ボタンを操作するようにしても良い。この場合、入室ボタンを押した後にＩＣカード１０６を読み取らせた場合は入室、退室ボタンを押した後にＩＣカード１０６を読み取らせた場合は退室と判断する。
【００２２】
さらに、入室と退室を判断する方法としては、その日の奇数回目の読み取りは入室、偶数回目の読み取りは退室と判断するようにしても良い。
【００２３】
ＩＣカード読取装置１０４は、ＩＣカード１０６を読み取ると、所属人員のＩＤ、入室時刻、退室時刻等の入退室情報を入退管理サーバ１０７に送信する。入退管理サーバ１０７は所属人員のリストを所有しており、受信したリスト内の人員の入退室情報をリアルタイムで記録する。
【００２４】
入退管理サーバ１０７と画像形成装置１０３はネットワークによって接続されており、画像形成装置１０３は入退管理サーバ１０７に記録されている入退室情報を参照することができる。
【００２５】
＜実施形態１の動作＞
図３を参照しながら、実施形態１の動作について説明する。図３に示すように、災害が発生、あるいは、緊急地震速報などの災害発生予測が発令されると（ステップＳ１）、その災害情報は、まず災害情報管理サーバ１０１に送信される。それを受けて、災害情報管理サーバ１０１は災害情報を画像形成装置１０３に送信する（ステップＳ２）。
【００２６】
この時、画像形成装置１０３にて実行中のジョブがある場合は（ステップＳ３、Ｙｅｓ）、実行中のジョブを停止する（ステップＳ４）。その後、画像形成装置１０３は、避難情報印刷モードに移行する（ステップＳ５）。画像形成装置１０３は、避難情報印刷モードへ移行すると、例えば、印刷命令を受け付けなくなる等、避難情報の印刷に特化した状態となる。
【００２７】
そして、避難情報印刷モードへ移行した画像形成装置１０３は、入退管理サーバ１０７にアクセスして、入退室情報の取得を要求する。入退管理サーバは、その要求を受けて、要求元の画像形成装置１０３が設置されている部屋１０２の入退室情報を画像形成装置１０３に送信する（ステップＳ６）。
【００２８】
画像形成装置１０３は、入退室情報を取得すると、取得した入退室情報を基に、所属人員の状況をリスト化し、避難者名簿を作成し、画像を形成する。そして、画像形成装置１０３は、生成した画像を印刷する（ステップＳ７）。
【００２９】
印刷する避難者名簿の例を図２に示す。図２の（ａ）に示すように、Ａさんについては、入室時刻が９：００と記録されていて、退室時刻が記録されていないため、図２の（ｂ）に示すように、在室と判断する。Ｂさんについては、図２の（ａ）に示すように、最後の入室時刻が１２：３０、最後の退室時刻が１２：００と記録されていて、最後の入室時刻が最後の退室時刻より後であるため、図２の（ｂ）に示すように、在室と判断する。Ｃさんについては、図２の（ａ）に示すように、最後の入室時刻が８：３０と記録され、最後の退室時刻が１４：３０と記録されていて、最後の入室時刻が最後の退室時刻より前であるため、図２の（ｂ）に示すように、外出と判断する。Ｄさんについては、図２の（ａ）に示すように、当日の入室時刻が記録されていないため、図２の（ｂ）に示すように、欠席と判断する。
【００３０】
以上の手順により、所属人員の状態を判断し、図２の（ａ）に示す入退室情報から図２の（ｂ）に示す避難者名簿が作成される。また、図２の（ｂ）に示すように、外出者については、緊急連絡先を避難者名簿の項目に含めるようにしても良い。この時、画像形成装置１０３は、所属人員のうち、状態が在室である人数と等しい枚数の避難者名簿を印刷する。前述の印刷する枚数は、設定により変更可能としても良い。
【００３１】
特定の所属人員は、予め避難隊長者として指定されている。図３に示すように、画像形成装置１０３は、避難者名簿の印刷を行った後、避難隊長者が在室しているかどうかを確認する（ステップＳ８）。避難隊長者の状態が在室以外の場合、即ち外出または欠席の場合は、画像形成装置１０３は、避難隊長者のみが知る避難情報を印刷する。
【００３２】
避難隊長者には、例えば学校の教室であれば教師、会社のオフィス等であればその部署の責任者等が指定される。避難隊長者のみが知る避難情報とは、例えば、避難経路、避難時に必要な物のリスト、それらの保管場所といった、普段は周知されていないが、避難時には必要となる情報である。
【００３３】
避難隊長者のみが知る避難情報は、予め画像形成装置１０３に記憶させておく。避難隊長者及び避難隊長者のみが知る避難情報については、上で挙げたものは一例であり、その内容を限定するものではない。
【００３４】
＜実施形態１の効果＞
実施形態１においては、図２の（ｂ）に示すように、所属人員の状態を在室、外出、欠席に分けて名簿を作成することができる。これによって、在室している所属人員を迅速に把握し、点呼などを効率良く行うことができる。また、在室していない所属人員についても容易に把握できるため、混乱を防止することができる。特に、外出者については安否が不明になりやすいと考えられるが、緊急連絡先を避難者名簿に掲載することにより、連絡を取り安否を確認することができるようになる。
【００３５】
また、画像形成装置１０３に対して、災害情報管理サーバ１０１及び入退管理サーバ１０７がネットワークで接続されているため、災害発生や災害発生の予測の後、速やかに避難者名簿を作成し印刷することができる。
【００３６】
避難隊長者のみが知る情報は、基本的に避難情報印刷時にも印刷されないが、非難隊長者が在室していない場合のみ印刷することで、緊急時にも対応することが可能となっている。
【００３７】
なお、上記の実施形態は、本発明の好適な実施形態であり、上記実施形態のみに本発明を限定するものではなく、本発明の要旨を逸脱しない範囲において種々の変更を施した形態での実施が可能である。
【００３８】
例えば、実施形態１においては、各所属人員の入退室情報を記録するために、ＩＣカードを使用するものとしているが、所属人員が入退室の際に入力装置を使用して端末に入力することで入退室情報を記録するようにしても良い。本発明においては、入退室情報を記録する手段は特に限定せず、記録した入退室情報が画像形成装置によって速やかに取得できる状態で管理しておく手段であれば良い。
【００３９】
また、実施形態１においては、画像形成装置と別に設けた災害情報管理サーバを災害情報管理手段としているが、画像形成装置に災害情報管理手段を設け、画像形成装置がインターネット等を通じて災害情報を直接受信するようにしても良い。
【００４０】
実施形態１で行われる処理を避難者名簿作成処理として実行させる避難者名簿作成プログラムを、画像形成装置に予めインストールするようにしても良い。また、画像形成装置とネットワークで接続された端末等に、画像形成装置に命令可能なプログラムをインストールしておくようにしても良い。
【符号の説明】
【００４１】
１００    避難者名簿作成システム
１０１    災害情報管理サーバ
１０２    部屋
１０３    画像形成装置
１０４    ＩＣカード読取装置
１０５    所属人員
１０６    ＩＣカード
１０７    入退管理サーバ
【先行技術文献】
【特許文献】
【００４２】
【特許文献１】特開２０１１−２４８０７０号公報
【特許文献２】特開２０１２−２３５３８５号公報
【図１】
2015135561.tif 000003
【図２】
2015135561.tif 000004
【図３】
2015135561.tif 000005